(57)【要約】【課題】  背面投影の場合に操作者が本体近くかスクリーンの前側のどちらにいても、メニュー画面を正しい向きで見えるようにする。【解決手段】  投影光学系（１０４）は、表示パネル（１０６）に表示される画像をスクリーンに投影する。プロジェクタ（１００）の本体の前、右、後及び左の各面に、リモコン装置（１２０）の赤外線リモコン信号を受光するリモコン受信部（１０８Ａ〜１０８Ｄ）を配置する。ＣＰＵ（１０１）は、本体前面に配置されるリモコン受信部（１０８Ａ）がリモコン装置（１２０）からの赤外線リモコン信号を最大強度で受信する場合、本体の前方向に操作者がいると判断し、メニュー画面を左右反転して表示パネル（１０６）に表示させ、それ以外の場合、メニュー画面を非反転で表示パネル（１０６）に表示させる。【選択図】  図１
2015141365.tif 000002
【特許請求の範囲】
【請求項１】
メニュー画面を生成するメニュー画面生成手段と、
前記メニュー画面を主画像に重畳して表示する表示手段と、
前記表示手段により表示される画像を投影する投影手段と、
リモコン装置を含む操作手段と、
前記操作手段による操作が本体の前方からか否かを判別する判別手段と、
前記判別手段の判別結果に従い、前記操作手段による操作が前記本体の前方からの場合に、前記メニュー画面を左右反転して出力し、それ以外の場合に前記メニュー画面を非反転で出力するように前記メニュー画面生成手段を制御する制御手段
とを具備することを特徴とする投影表示装置。
【請求項２】
前記判別手段は、前記リモコン装置からの信号を受信する受信手段であって、前記本体の異なる面に配置される複数の受信手段と、前記複数の受信手段の各受信信号強度を比較する比較手段とを具備することを特徴とする請求項１に記載の投影表示装置。
【発明の詳細な説明】
【技術分野】
【０００１】
本発明は、投影表示装置に関する。
【背景技術】
【０００２】
従来、液晶プロジェクタなどの投影表示装置では、操作・設定のためのメニュー画面などを投影画像に重畳して表示するＯＳＤ（On Screen Display）が採用され、本体又はリモコンによる種々の動作条件を設定できる。
【０００３】
投影表示装置には、設置位置として床置きか、天地を反転しての天井吊下げかを選択できるものがある。鑑賞者が正しい向きで投影画像を鑑賞できるように、設置位置に応じて画像の表示方向を予め設定する必要がある。また、スクリーンとの関係では、スクリーンの前面に画像を投影する前面投影と、スクリーンの背面に投影する背面投影とを選択可能である。背面投影の場合、設置時に操作者がメニュー画面を正しく識別できるように、メニュー画面を左右反転して表示するのが好ましい。
【０００４】
特許文献１には、床置きか天井吊り上げかに応じて、また、前面投影か背面投影かに応じて、投影表示する画像の上下左右方向及びメニュー画面の左右方向を制御することが記載されている。
【０００５】
特許文献２には、選択画面の選択肢として反転しない文字列以外に、反転した文字列のものも用意しておき、投射映像の向きに関わらず所望の選択肢を判読可能とする投射型映像表示装置が記載されている。
【先行技術文献】
【特許文献】
【０００６】
【特許文献１】特開２０１２−０８８６３６号公報
【特許文献２】特開平１１−０６４９７４号公報
【発明の概要】
【発明が解決しようとする課題】
【０００７】
背面投影の場合、操作者は、必ずしもスクリーンの背面側に位置するとは限らず、鑑賞者と同様にスクリーンの前面側に位置することもありうる。
【０００８】
特許文献１に記載の技術では、背面投影の場合にメニュー画面を左右反転表示するので、操作者がスクリーンの前面に位置する場合にかえって、メニュー画面が判読しにくくなる。例えば、十字キーを使って、右方向又は左方向の選択を行うような操作体系の場合、操作ミスをしやすくなってしまう。
【０００９】
本発明は、このような不都合を解消する投影表示装置を提示することを目的とする。
【課題を解決するための手段】
【００１０】
上記課題を解決するために、本発明に係る投影表示装置は、メニュー画面を生成するメニュー画面生成手段と、前記メニュー画面を主画像に重畳して表示する表示手段と、前記表示手段により表示される画像を投影する投影手段と、リモコン装置を含む操作手段と、前記操作手段による操作が本体の前方からか否かを判別する判別手段と、前記判別手段の判別結果に従い、前記操作手段による操作が前記本体の前方からの場合に、前記メニュー画面を左右反転して出力し、それ以外の場合に前記メニュー画面を非反転で出力するように前記メニュー画面生成手段を制御する制御手段とを具備することを特徴とする。
【発明の効果】
【００１１】
本発明によれば、操作者が操作し易いように、メニュー画面を操作者が正対する向きで表示することができる。
【図面の簡単な説明】
【００１２】
【図１】本発明の一実施例の概略構成ブロック図である。
【図２】本実施例のメニュー画面の反転／非反転処理の動作フローチャートである。
【図３】背面投影で、操作者が液晶プロジェクタを直接操作する場合の画面例である。
【図４】背面投影で、操作者がスクリーンの前面側に位置する場合の画面例である。
【図５】メニュー画面消去後の画面例である。
【発明を実施するための形態】
【００１３】
以下、図面を参照して、本発明の実施例を詳細に説明する。
【実施例１】
【００１４】
図１は、本発明の一実施例である液晶プロジェクタの概略構成ブロック図を示す。
【００１５】
液晶プロジェクタ１００は、ＣＰＵ１０１、ＥＥＰＲＯＭ１０２、ＲＡＭ１０３、投影光学系１０４、光源１０５、表示パネル１０６、パネルドライバ１０７、複数のリモコン受光部１０８、操作パネル１０９及び入力ＩＦ１１０を具備する。これらは、内部バス１１１を介してデータ、制御信号及び状態を相互に通信可能である。
【００１６】
ＣＰＵ１０１は、液晶プロジェクタ１００の全体を制御する。ＥＥＰＲＯＭ１０２には、ＣＰＵ１０１の起動プログラム及び液晶プロジェクタ１００の設定情報が記憶されている。ＲＡＭ１０３は、ＣＰＵ１０１のワークメモリとして使用される。
【００１７】
投影光学系１０４は、表示パネル１０６の表示画像を光学的に拡大（又は縮小）してスクリーンに投影するレンズ群からなる。光源１０５は、表示パネル１０６を均等に照明する照明光を発生する高圧水銀ランプからなる。表示パネル１０６は、表示画像の輝度に応じた反射率で光源１０５からの照明光を反射する。パネルドライバ１０７は、入力ＩＦ１１０からの映像信号に従い表示パネル１０６を駆動し、当該映像信号の画像を表示させる。
【００１８】
液晶プロジェクタ１００は、リモコン装置１２０により遠隔操作可能である。液晶プロジェクタ１００の装置本体の４辺（装置前面、装置後面、装置左面及び装置右面）にはそれぞれ、リモコン装置１２０からの赤外線操作信号を受光するリモコン受光部１０８（１０８Ａ，１０８Ｂ，１０８Ｃ，１０８Ｄ）の窓が設置されている。詳細は後述するが、ＣＰＵ１０１は、リモコン受光部１０８Ａ，１０８Ｂ，１０８Ｃ，１０８Ｄで受光した赤外線リモコン信号の強度を比較することで、リモコン装置１２０が本体に対してどの方向に位置するかを判別できる。
【００１９】
操作パネル１０９は、液晶プロジェクタ１００の本体の上面に設置されており、操作者が直接この操作パネル１０９を操作することでＣＰＵ１０１に種々の指示を入力できる。例えば、メニュー画面などの表示をＣＰＵ１０１に指示でき、設定を入力できる。
【００２０】
入力ＩＦ１１０は、外部映像源から入力される映像信号を受信するインターフェースである。具体的には、ＤＶＩ端子又はＨＤＭＩ（登録商標）端子である。
【００２１】
内部バス１１１は、液晶プロジェクタ１００の内部で、映像データ及び制御信号の通信に使われる。
【００２２】
ＣＰＵ１０１は、リモコン装置１２０及び操作パネル１０９からの操作信号及び内部状態に従い、液晶プロジェクタ１００の各部、例えば、投影光学系１０４、光源１０５及びパネルドライバ１０７を制御する。ＣＰＵ１０１は、ロードしたプログラムに従い、映像データのコントラス処理、拡大縮小処理、左右上下反転処理及び台形補正処理を行う画像処理装置として機能し、更には、左右上下反転投影検知装置としての機能も具備する。
【００２３】
さらにＣＰＵ１０１は、液晶プロジェクタ１００を操作する操作者が、液晶プロジェクタ１００の本体に対してどの方向に位置するかを推定する機能を有する。具体的には、操作パネル１０９からの操作信号が入力するとき、ＣＰＵ１０１は、操作者が液晶プロジェクタ１００の近くに居ると判断する。また、リモコン装置１２０からの操作信号がリモコン受光部１０８Ａ〜１０８Ｄを介して入力するとき、ＣＰＵ１０１は、リモコン受光部１０８Ａ〜１０８Ｄで受光する赤外線リモコン信号の信号強度を比較して、リモコン装置１２０の所在方向を推定する。
【００２４】
例えば、リモコン受光部１０８Ａ，１０８Ｂ，１０８Ｃ，１０８Ｄ（の受光窓）がそれぞれ、液晶プロジェクタ１００の本体前面、右面、背面及び左面に配置されているとする。リモコン受光部１０８Ａが最も強い赤外線信号を受光する場合、ＣＰＵ１０１は、操作者が装置の前方向にいると判断する。同様に、リモコン受光部１０８Ｃが最も強い赤外線リモコン信号を受光する場合、ＣＰＵ１０１は、操作者が本体の後方向に位置すると判断する。本体の右側のリモコン受光部１０８Ｂが最も強い赤外線リモコン信号を受光する場合、ＣＰＵ１０１は、操作者が本体の右方向に位置すると判断する。リモコン受光部１０８Ｄが最も強い赤外線リモコン信号を受光する場合、ＣＰＵ１０１は、操作者が本体の左方向に位置すると判断する。隣接する複数のリモコン受光部が赤外線リモコン信号を受光する場合、両者の強度比によりリモコン装置１２０（操作者）の位置する方向を判断できることは明らかである。
【００２５】
図２は、液晶プロジェクタ１００に対する操作者の相対的位置に応じてメニュー画面の表示方向を左右反転又は非反転に制御するＣＰＵ１０１の動作フローチャートを示す。なお、液晶プロジェクタ１００は、スクリーン２００の前面に鑑賞者が位置し、スクリーン２００の背面に画像を投影表示する背面投影の場合、本来の表示目的の画像（主画像）を左右反転状態で投影する。
【００２６】
液晶プロジェクタ１００のＣＰＵ１０１は、操作パネル１０９又はリモコン装置１２０からの操作信号の受信を待機する（Ｓ２０１）。
【００２７】
ＣＰＵ１０１は操作信号を検知すると（Ｓ２０１）、ＣＰＵ１０１は、その操作信号が操作パネル１０９から出力されたものかリモコン装置１２０から出力されたものかを判断する（Ｓ２０２）。
【００２８】
操作パネル１０９からの操作信号である場合（Ｓ２０２）、ＣＰＵ１０１はメニュー画面生成手段として、メニュー画面が左右反転せずにそのまま投影表示されるようにメニュー画面を生成し、ＯＳＤにより主画像に重畳する（Ｓ２０３）。パネルドライバ１０７は、メニュー画面を重畳された主画像に従い表示パネル１０６を駆動し、これにより、表示パネル１０６は、主画像とメニュー画面を表示する。表示パネル１０６は光源１０５の出力照明光により照明され、投影光学系１０４は、表示パネル１０６により表示される画像をスクリーン２００に投影する。
【００２９】
図３は、液晶プロジェクタ１００がスクリーン２００の背面に画像を投影表示している場合の、スクリーン２００の前面と背面の表示画像例を示す。スクリーン２００の前面に鑑賞者が位置して表示画像を鑑賞する背面投影のために、液晶プロジェクタ１００の操作者が、液晶プロジェクタ１００の本体近くで操作パネル１０９により背面投影を設定する状況である。
【００３０】
液晶プロジェクタ１００は、主画像にメニュー画面を重畳した画像をスクリーン２００に投影表示している。３１０は、スクリーン２００の背面の表示画像例を示し、３１２はスクリーン２００の前面の表示画像例を示す。主画像については、鑑賞者が正しい向きで主画像を鑑賞できるように、液晶プロジェクタ１００は、操作者による背面投影の設定に従い、主画像を左右反転してスクリーン２００に投影表示する。他方、メニュー画面については、Ｓ２０３の処理により、液晶プロジェクタ１００は、メニュー画面を左右反転処理しない非反転の状態でスクリーン２００に投影表示する。
【００３１】
操作信号が操作パネル１０９からでない場合（Ｓ２０２）、ＣＰＵ１０１は、操作信号がリモコン装置１２０からのものであると判断する（Ｓ２０４）。ＣＰＵ１０１は、リモコン装置１２０の方向を推定するためのリモコン受光部１０８Ａ〜１０８Ｄにおける受光強度または受信信号強度を比較する（Ｓ２０５）。
【００３２】
本体前面に設置したリモコン受光部１０８Ａの受光強度が最も高い場合（Ｓ２０６）、ＣＰＵ１０１は、リモコン装置１２０が液晶プロジェクタ１００の本体の前方向に位置すると判断する（Ｓ２０７）。このとき、ＣＰＵ１０１は、メニュー画面が左右反転して投影表示されるようにメニュー画面を生成し、ＯＳＤにより主画像に重畳する（Ｓ２０８）。すなわち、ＣＰＵ１０１は主画像とメニュー画面を共に左右反転する。ＣＰＵ１０１はまた、リモコン装置１２０の方向キーの内の左右キーの割り当てをメニュー画面と連動して左右逆とする。これにより、表示されるメニュー画面と同方向の操作で、想定される結果を得ることができる。
【００３３】
図４は、操作者１３０がスクリーン２００に対して鑑賞者１３２と同じ側に位置する場合の、表示画像例を示す。４１０は、スクリーン２００の背面の表示画像例を示し、４１２はスクリーン２００の前面の表示画像例を示す。
【００３４】
図４に示す状態では、操作者１３０はリモコン装置１２０を使って、液晶プロジェクタ１００の前面方向から赤外線リモコン信号を液晶プロジェクタ１００の本体に向けて送信している。従って、ＣＰＵ１０１は、ステップＳ２０７，Ｓ２０８を実行することになり、液晶プロジェクタ１００は、主画像とメニュー画面の両方を左右反転して投影表示する。操作者１３０は、スクリーン２００の前面に表示される画像（画像例４１２）上のメニュー画面を正しい向きで視認でき、その結果、メニュー選択等が容易になる。
【００３５】
リモコン受光部１０８Ａ以外の受光強度が最大になる場合（Ｓ２０６）、ＣＰＵ１０１は、リモコン装置１２０がスクリーン２００の手前側に位置すると判断する（Ｓ２０９）。そして、ＣＰＵ１０１は、Ｓ２０３と同様に、メニュー画面が左右反転せずにそのまま投影表示されるようにメニュー画面を生成し、ＯＳＤにより主画像に重畳する（Ｓ２１０）。メニュー画面は、図３に示す画像例３１０，３１２のように表示される。操作者１３０は、スクリーン２００の液晶プロジェクタ１００側に位置し、表示画像例３１０のメニュー画面を正しい向きで視認でき、その結果、メニュー選択等が容易になる。
【００３６】
上述したように、本実施例では、操作者が液晶プロジェクタ１００から見てスクリーン２００の方向に位置するか否かの判別結果に従い、メニュー画面の左右反転か非反転が制御される。操作者が液晶プロジェクタ１００から見てスクリーン２００の方向に位置すると判断されるとき、メニュー画面は、左右反転してスクリーン２００に投影される。他方、操作者がスクリーン２００に対して液晶プロジェクタ１００と同じ側に位置すると判断されるとき、メニュー画面は、そのままの向きで、即ち左右反転しない非反転状態で、スクリーン２００に投影される。
【００３７】
図５は、メニュー画面による設定が終わり、メニュー画面を消去した後の画面例を示す。５１０は、スクリーン２００の背面の表示画像例を示し、主画像のみからなる。５１２はスクリーン２００の前面の表示画像例を示し、これも主画像のみからなる。
【００３８】
以上、本発明の好ましい実施例を説明したが、本発明はこれらの実施例に限定されず、その要旨の範囲内で種々の変形及び変更が可能である。
【図１】
2015141365.tif 000003
【図２】
2015141365.tif 000004
【図３】
2015141365.tif 000005
【図４】
2015141365.tif 000006
【図５】
2015141365.tif 000007